(57)【要約】【課題】外装カバーを操作性良く簡単且つ正確に取り付けることができる画像形成装置を提供すること。【解決手段】互いに直交する２平面を備えたＬ字状又はコの字状のサイドカバー（外装カバー）６を本体フレームに取り付けて成る画像形成装置において、前記本体フレームに係合孔と嵌合穴を形成し、前記サイドカバー６の直交する２平面の一方の端縁に係合爪６ｂを形成し、他方の内面に突起を突設し、該サイドカバー６の前記係合爪６ｂを本体フレームの前記係合孔に係合させ、その係合部を支点としてサイドカバー６を回動させ、これの内面に突設された前記突起を本体フレームの前記嵌合穴又はトップカバー（他の外装カバー）に形成された嵌合穴に嵌合させることによってサイドカバー６を固定する。【選択図】図４
2009169126.tif 000002
【特許請求の範囲】
【請求項１】
互いに交わる他の面の一部を備えた外装カバーを本体フレームに取り付けて成る画像形成装置において、
前記本体フレームに係合孔と嵌合穴を形成し、前記外装カバーの交わる他の面の一部の一方の端縁に係合爪を形成し、他方の内面に突起を突設し、該外装カバーの前記係合爪を本体フレームの前記係合孔に係合させ、その係合部を支点として外装カバーを回動させ、これの内面に突設された前記突起を本体フレームの前記嵌合穴又は他の外装カバーに形成された嵌合穴に嵌合させることによって外装カバーを固定することを特徴とする画像形成装置。
【請求項２】
前記外装カバーの突起をボス袋形状とし、該突起の中央部にビス孔を形成したことを特徴とする請求項１記載の画像形成装置。
【発明の詳細な説明】
【技術分野】
【０００１】
本発明は、互いに直交する２平面を備えたＬ字状の外装カバーを本体フレームに取り付けて成る画像形成装置に関するものである。
【背景技術】
【０００２】
電子写真方式によって用紙に画像を形成する複写機やプリンタ等の画像形成装置は、像担持体、帯電装置、現像装置、転写装置、定着装置等の各種プロセス機器が組み込まれた本体フレームの周囲を樹脂製の外装カバーで覆って構成されている。具体的には、本体フレームの周囲はフロントカバーと左右のサイドカバー及びリヤカバーで覆われ、上面はトップカバーによって覆われており、トップカバーの上面には排紙トレイが形成されている。
【特許文献１】特開２００６−０５８６８８号公報
【特許文献２】特開２０００−０７１５５８号公報
【発明の開示】
【発明が解決しようとする課題】
【０００３】
ところで、外装カバーのうちのサイドカバーは、互いに直交する２平面を備えたＬ字状に成形されており、本体フレームにビスによって取り付けられていたが、ビス固定する際に該サイドカバーを片手で支えながら取り付ける必要があり、その取付作業性が悪いという問題があった。
【０００４】
本発明は上記問題に鑑みてなされたもので、その目的とする処は、外装カバーを操作性良く簡単且つ正確に取り付けることができる画像形成装置を提供することにある。
【課題を解決するための手段】
【０００５】
上記目的を達成するため、請求項１記載の発明は、交わる他の面の一部を備えた外装カバーを本体フレームに取り付けて成る画像形成装置において、前記本体フレームに係合孔と嵌合穴を形成し、前記外装カバーの交わる他の面の一部の一方の端縁に係合爪を形成し、他方の内面に突起を突設し、該外装カバーの前記係合爪を本体フレームの前記係合孔に係合させ、その係合部を支点として外装カバーを回動させ、これの内面に突設された前記突起を本体フレームの前記嵌合穴又は他の外装カバーに形成された嵌合穴に嵌合させることによって外装カバーを固定することを特徴とする。
【０００６】
請求項２記載の発明は、請求項１記載の発明において、前記外装カバーの突起をボス袋形状とし、該突起の中央部にビス孔を形成したことを特徴とする。
【発明の効果】
【０００７】
請求項１記載の発明によれば、外装カバーの一方の平面の端縁に形成された係合爪を本体フレームの係合孔に係合させ、その係合部を支点として外装カバーを回動させ、これの他方の平面の内面に突設された突起を本体フレーム又は他の外装カバーの嵌合孔に嵌合させることによって当該外装カバーを本体フレームに仮保持することができるため、作業者は外装カバーを片手で操作性良く簡単に本体フレームに取り付けることができる。このとき、突起は位置決め手段として機能するため、外装カバーを本体フレームに正確に取り付けることができる。
【０００８】
請求項２記載の発明によれば、外装カバーの突起をボス袋形状とし、該突起の中央部にビス孔を形成したため、ビス孔に挿通するビスによって外装カバーを本体フレーム又は他の外装カバーに確実に固定することができるとともに、ビスの頭部が突起のボス袋内に隠れて外装カバーの表面に突出しないために外装カバーの外観性が高められる。
【発明を実施するための最良の形態】
【０００９】
以下に本発明の実施の形態を添付図面に基づいて説明する。
【００１０】
図１は本発明に係る画像形成装置の斜視図、図２は同画像形成装置の分解斜視図、図３は同画像形成装置の本体フレーム部分の部分斜視図、図４はサイドカバーを内面側から見た斜視図、図５は図４の矢視Ａ方向の部分斜視図、図６はトップカバーの部分斜視図、図７は本体フレームにサイドカバーを取り付けた状態を示す部分斜視図、図８はサイドカバーの突起をトップカバーの嵌合穴に嵌合させてサイドカバーを仮保持した状態を示す断面斜視図である。
【００１１】
図１に示す画像形成装置１は、レーザープリンタであって、矩形ボックス状の装置本体２を備えており、この装置本体２の内部には、図２に示すように、本体フレーム３に組み込まれた感光ドラム、帯電器、現像装置、転写装置、定着装置等の各種プロセス機器（何れも不図示）が内蔵されている。そして、装置本体２の前面（図１の手前側を前方とする）は、手差しトレイを兼ねる開閉可能なフロントカバー４で覆われ、左右はサイドカバー５，６で覆われ、後面はリヤカバー７で覆われ、上面はトップカバー８によってそれぞれ覆われている。尚、フロントカバー４、サイドカバー５，６、リヤカバー７及びトップカバー８は外装カバーを構成しており、これらは何れも樹脂によって一体成形されている。
【００１２】
ところで、図１に示すように、装置本体２の下部には図２に示す給紙カセット９が着脱可能に装着されており、この給紙カセット９は装置本体２の前面側から着脱される。又、トップカバー８の前面側右隅部には操作パネル１０が装着されている。
【００１３】
而して、本実施の形態に係るレーザープリンタ１においては、装置本体２に内蔵された不図示の各種プロセス機器による電子写真プロセスを経て用紙に画像が形成されるが、画像が形成された用紙は前記トップカバー８へと排出されてストックされる。ここで、トップカバー８には、ジャム処理等のメンテナンス時に図１に示すように開くことができる開閉カバー８Ａが設けられており、この開閉カバー８Ａは、その左右がヒンジ１１によって上下に回動可能に支持されている。そして、この開閉カバー８Ａの裏面には、フロントカバー４を開いたときに装置本体２内のプロセス機器を覆うためのインナーカバー８Ｂが略垂直に取り付けられている。
【００１４】
又、図２に示すように、右側のサイドカバー６には、装置本体２の内部にアクセスするための矩形の開口部６ａが形成されており、この開口部６ａは補助カバー１２によって塞がれている。
【００１５】
次に、外装カバーのうち、特に右側のサイドカバー６の本体フレーム３への取付構造について説明する。尚、左側のサイドカバー５の取付構造も右側のサイドカバー６の取付構造と同様であるため、これについての図示及び説明は省略する。
【００１６】
図３に示すように、本体フレーム３の右側前端面の上下には上下方向に長い矩形状の係合孔３ａが形成されている。又、この本体フレーム３の上面に被着される前記トップカバー８の後面の右側端部には、図６に示すように、切欠円状の嵌合穴８ａが形成されており、この嵌合穴８ａの中央部には円孔状のビス孔１３が形成されている。そして、トップカバー８の後面の前記嵌合穴８ａの一側部には横方向のガイドリブ８ｂが上下３段に亘って一体に形成されている。
【００１７】
他方、右側のサイドカバー６は、図４に示すように、互いに直交する２平面を備えてＬ字状に成形されており、長い方の平面の前端部はＬ字状に屈曲されて屈曲部６Ａを形成しており、この屈曲部６Ａの端縁の上下には係合爪６ｂが形成されている。尚、屈曲部６Ａの内面上部にはコの字状の嵌合突起６ｃが後方（図４に左方）に向かって一体に突設されている。
【００１８】
又、サイドカバー６の短い方の平面を構成する取付部６Ｂは、該サイドカバー６の後端上部に一体に形成されており、その内面には、図５に示すように、円形のボス袋状（有底筒状）の突起６ｄが前方（図５の右方）に向かって一体に突設されており、その中央部には円孔状のビス孔１４が形成されている。
【００１９】
而して、サイドカバー６は以下の要領で本体フレーム３とトップカバー８に取り付けられる。
【００２０】
即ち、サイドカバー６の長い方の平面の前端縁に形成された係合爪６ｂを図７に示すように本体フレーム３の係合孔３ａ（図３参照）に係合させ、その係合部を支点としてサイドカバー６を回動させ、該サイドカバー６の後端の取付部６Ｂの内面に突設されたボス袋状の突起６ｄ（図５参照）をトップカバー８の後面に形成された嵌合穴８ａ（図６参照）に嵌合させる。サイドカバー６の突起６ｄをトップカバー８の嵌合穴８ａに嵌合させる際には、サイドカバー６の取付部６Ｂが突起６ｄの高さ分だけ撓み変形し、突起６ｄはトップカバー８の後面に形成されたガイドリブ８ｂ（図６参照）によってガイドされて嵌合穴８ａに嵌合し、突起６ｄが嵌合穴８ａに嵌合するとサイドカバー６の撓み変形していた取付部６Ｂが弾性によって元の状態に復帰するため、該取付部６Ｂに突設された突起６が嵌合穴８ａに確実に嵌合してサイドカバー６が本体フレーム３及びトップカバー８に対して正確に位置決めされる。尚、サイドカバー６の屈曲部６Ａの上部内面に突設された嵌合突起６ｃ（図４参照）は、本体フレーム３の対応する位置に形成された不図示の嵌合孔に嵌合される。
【００２１】
上述のように、サイドカバー６の係合爪６ｂを本体フレーム３の係合孔３ａに係合させ、その係合部を支点としてサイドカバー６を回動させ、該サイドカバー６の取付部６Ｂの内面に突設されたボス袋状の突起６ｄをトップカバー８の嵌合穴８ａに嵌合させることによってサイドカバー６を本体フレーム３及びトップカバー８に仮保持することができるため、作業者はサイドカバー６を片手で操作性良く簡単に本体フレーム３とトップカバー８に取り付けることができる。このとき、突起６ｄは位置決め手段として機能するため、サイドカバー６を本体フレーム３とトップカバー８に正確に取り付けることができる。
【００２２】
而して、サイドカバー６が上述のように仮保持されると、図８に示すように、サイドカバー６の突起６ｄとトップカバー８の嵌合穴８ａの各中央部に形成されたビス孔１４，１３同士が合致するため、これらのビス孔１３，１４にビス１５をねじ込むことによってサイドカバー６をトップカバー８に固定することができる。ここで、本実施の形態では、サイドカバー６の突起６ｄをボス袋形状とし、該突起６ｄの中央部にビス孔１４を形成したため、ビス孔１４に挿通するビス１５によってサイドカバー６をトップカバー８に確実に固定することができるとともに、ビス１５の頭部が突起６ｄのボス袋内に隠れてサイドカバー６の表面に突出しないためにサイドカバー６の外観性が高められる。
【００２３】
尚、本実施の形態では、サイドカバー６の突起６ｄをトップカバー８に形成された嵌合穴８ａに嵌合し、この嵌合穴８ａに形成されたビス孔１３に挿通するビス１５によってサイドカバー６をトップカバー８に固定する構成を採用したが、本体フレーム３に嵌合穴を形成し、この嵌合穴にサイドカバー６の突起６ｄを嵌合させて該サイドカバー６を本体フレーム３に仮保持するとともに、嵌合穴に形成されたビス孔に挿通するビス１５によってサイドカバー６を本体フレーム３に固定する構成を採用しても、前記と同様の効果を得ることができる。
【００２４】
又、以上は本発明をレーザープリンタに適用した形態について説明したが、本発明は、プリンタの他、複写機やファクシミリ等の他の任意の画像形成装置に対しても同様に適用可能であることは勿論である。
【図面の簡単な説明】
【００２５】
【図１】本発明に係る画像形成装置の斜視図である。
【図２】本発明に係る画像形成装置の分解斜視図である。
【図３】本発明に係る画像形成装置の本体フレーム部分の部分斜視図である。
【図４】本発明に係る画像形成装置のサイドカバーを内面側から見た斜視図である。
【図５】図４の矢視Ａ方向の部分斜視図である。
【図６】本発明に係る画像形成装置のトップカバーの部分斜視図である。
【図７】本発明に係る画像形成装置の本体フレームにサイドカバーを取り付けた状態を示す部分斜視図である。
【図８】本発明に係る画像形成装置のサイドカバーの突起をトップカバーの嵌合穴に嵌合させてサイドカバーを仮保持した状態を示す断面斜視図である。
【符号の説明】
【００２６】
１          レーザープリンタ（画像形成装置）
２          装置本体
３          本体フレーム
３ａ        本体フレームの係合孔
４          フロントカバー（外装カバー）
５，６      サイドカバー（外装カバー）
６Ａ        サイドカバーの屈曲部
６Ｂ        サイドカバーの取付部
６ａ        サイドカバーの開口部
６ｂ        サイドカバーの係合爪
６ｃ        サイドカバーの嵌合突起
６ｄ        サイドカバーの突起
７          リヤカバー（外装カバー）
８          トップカバー（外装カバー）
８Ａ        開閉カバー
８Ｂ        インナーカバー
８ａ        トップカバーの嵌合穴
８ｂ        トップカバーのガイドリブ
９          給紙カセット
１０        操作パネル
１１      ヒンジ
１２        補助カバー（蓋部材）
１３，１４  ビス孔
１５        ビス
【図１】
2009169126.tif 000003
【図２】
2009169126.tif 000004
【図３】
2009169126.tif 000005
【図４】
2009169126.tif 000006
【図５】
2009169126.tif 000007
【図６】
2009169126.tif 000008
【図７】
2009169126.tif 000009
【図８】
2009169126.tif 000010